(57)【要約】【課題】ガード材料としてクッション性が適度であり、摩擦が十分得られ、安価に量産でき、繰り返して再使用できる荷造り用パッドを提供する。【解決手段】荷造り用パッド１０は、板状の発泡ポリエチレン２または／および発泡ポリウレタン２の両面に、不織布３および４が貼り合わされている。不織布３および／または４は、目付け量１００〜１０００ｇ／ｍ２のニードルパンチ不織布であることが好ましい。【選択図】　　　　　図１
0003097589.tif 000002
【実用新案登録請求の範囲】
【請求項１】
板状の発泡ポリエチレンまたは／および発泡ポリウレタンの少なくとも片面に、不織布が貼り合わされていることを特徴とする荷造り用パッド。
【請求項２】
該不織布が目付け量１００〜１０００ｇ／ｍ２のニードルパンチ不織布であることを特徴とする請求項１に記載の荷造り用パッド。
【請求項３】
該板状の発泡ポリエチレンまたは／および発泡ポリウレタンの内部気泡が独立気泡であることを特徴とする請求項１または２に記載の荷造り用パッド。
【請求項４】
該板状の発泡ポリエチレンまたは／および発泡ポリウレタンが、発泡ポリエチレンまたは／および発泡ポリウレタンの薄板を熱融着で多層に重ね合わせたものであることを特徴とする請求項１、２または３に記載の荷造り用パッド。
【請求項５】
矩形板状の請求項１、２、３または４に記載の荷造り用パッドにおいて、矩形の大きさとの関係で、略平坦な面に自立できる板厚を有することを特徴とする荷造り用パッド。
【考案の詳細な説明】
【０００１】
【考案の属する技術分野】
本考案は、荷造りの際に物品を挟み込んだり、覆ったりするガード材料として使用される荷造り用パッドに関するものである。
【０００２】
【従来の技術】
荷物をトラックなどで運搬するときに、比較的壊れやすい荷物はクッション性のあるガード材料の荷造り用パッドで覆ってロープを架けて縛り付けている。多くの場合には、発泡ポリスチロールなどで覆い、その上に当て板をしてからロープを架ける。しかしロープ架けの途中で発泡ポリスチロールが当て板からはずれてしまうことがあり、作業はやりにくく非常に手間のかかるものとなっている。かといって、当て板を使用せず発泡ポリスチロール単独でロープを架けると、発泡ポリスチロールは柔軟性がなく強度が弱いため、割れたり破れたりしてしまう。発泡ポリスチロールを使用せず当て板を直接荷物に当ててロープを架けると衝撃を緩和できず、荷物に悪影響を及ぼしてしまう。また発泡ポリスチロールは軽量すぎるために、作業途中で一時的に置いたときに風で吹き飛ばされて潰れてしまうことも多い。また作業中に誤って他の機器が当たったり、踏みつけたりすると簡単に潰れてしまう。このように発泡ポリスチロールは、荷造り用パッドとして必ずしも適切なものとはいえないが、比較的安価であるため多用されている。
【０００３】
一方、ポリオレフィン樹脂の発泡体は、柔軟性や強度の面ではガード材料としての適正が発泡ポリスチロールよりも優れている。しかし滑りやすく摩擦がきかないためこれをパッドとして荷造りした物を積み重ねたときに、荷崩れを起こしてしまう。またポリウレタン発泡体もガード材料の荷造り用パッドとして使用しうるが、やはり摩擦が少なすぎて荷造り用パッドとして使いにくい原因になっている。またベニヤ板なども使用されているが重量の割には厚みが少なく使用し難い。
【０００４】
【考案が解決しようとする課題】
本考案はこのような実情に鑑みてなされたもので、ガード材料としてクッション性が適度であり、摩擦が十分得られ、安価に量産でき、繰り返して再使用できる荷造り用パッドを提供することを目的とする。
【０００５】
【課題を解決するための手段】
前記の目的を達成するためになされた本考案を適用する荷造り用パッド１０は、実施例に相当する図１に示すとおり、板状の発泡ポリエチレン２または／および発泡ポリウレタン２の少なくとも片面に、不織布３および４が貼り合わされている。
【０００６】
荷造り用パッド１０は、このように構成されているため、板状の発泡ポリエチレン２、発泡ポリウレタン２が衝撃力や部分的、局所的な力を吸収、分散させる。そして使い勝手のよい適度な嵩高を保つ。また両面の不織布３および４も衝撃力や部分的、局所的な力を吸収、分散させるとともに、プラスチック発泡体２を保護する。さらに不織布３および４は摩擦が大きいため滑りに難くなる。
【０００７】
不織布３および／または４は、目付け量１００〜１０００ｇ／ｍ２のニードルパンチ不織布であることが好ましい。不織布３および／または４の材質は、ポリプロピレン繊維、ポリエステル繊維、アクリル繊維などの合成繊維や、レーヨンなどの再生繊維、又天然繊維などを使用できる。不織布３と不織布４の材質形状は必ずしも同一である必要はなく、適宜、異なったものにしてもよい。さらにニードルパンチした後に合成樹脂系の接着剤で繊維間同士の固着を施した不織布でもよい。
【０００８】
発泡ポリエチレン２、発泡ポリウレタン２は、内部気泡が独立気泡であると適切に実施できる。独立気泡であることにより、雨等で水濡れしても内部に水分が浸透しないので速やかに乾燥し、再使用が可能になる。
【０００９】
板状の発泡ポリエチレン２または／および発泡ポリウレタン２は、図１に示すように、発泡ポリエチレンまたは／および発泡ポリウレタンの薄板を熱融着で多層に重ね合わせたものであることが好ましい。発泡ポリエチレンは、適度な剛柔性を持ちガード材料としてクッション性も好ましい。さらに薄板を多層に重ね合わせることによって、同一厚さの単一層よりも曲げ強度、引っ張り強度を向上できる。また熱融着にしたことにより異種の材料が混在しなくなるため、廃棄物として回収、再利用をする際の手間が省けるとともに再利用率が向上する。
【００１０】
発泡ポリエチレンの板と発泡ポリウレタンの板とを貼り合わせたものであるとさらに好ましい。発泡ポリウレタンは安価、軽量であり、柔軟性や強度の点で劣っているが、発泡ポリエチレンと貼りあわせることでこれらの欠陥を補い、全体として安価で軽量なものとすることができる。
【００１１】
また本考案の荷造り用パッド１０は、通常は図１に示すように、矩形にすることで汎用性が得られ、矩形の大きさとの関係で、略平坦な面５に自立できる板厚を有することが好ましい。同一材質でも大きさによって自立できる板厚が異なるが、荷造り用パッド１０の各１枚ずつを自立させておくことができることによって、荷物にパッド１０を取り付ける作業がやりやすくなる。
【００１２】
【考案の実施の形態】
以下、本考案の好ましい実施の形態を詳細に説明する。
【００１３】
図１に示す本考案の一実施例の荷造り用パッド１０は、板状の発泡ポリエチレン２が４層で、不織布３および４が重ね合わされた構造である。この荷造り用パッドは、以下のような手順で製造される。
【００１４】
材料として独立気泡の発泡ポリエチレンの薄板を４枚と、ポリエステル繊維のニードルパンチ不織布の２枚を所定の同一サイズに裁断して用意しておく。先ず発泡ポリエチレンの薄板４枚を略軟化点ほどに加熱して重ね合わせて軽くプレスし、加熱を維持しつつその上下に不織布を重ね合わせて軽くプレスする。これを自然冷却し、一体化してから耳落しをする。すると図１に示すように、この荷造り用パッド１０は、各辺が切り揃えられ、どの辺を平坦面５に置いても自立できる。
【００１５】
前記した発泡ポリエチレンの薄板どうしの積層接合は、前記の熱融着の他、接着剤（加熱系、非加熱系）をスプレーあるいは塗布した接着でもよいし、熱溶融接着系のホットメルトフイルムを各薄板に貼り合せて加熱した熱融着でもよい。また発泡ポリエチレンの上下に不織布を接合するには、接着剤（加熱系、非加熱系）をスプレーあるいは塗布した接着でもよいし、熱溶融接着系のホットメルトフイルムを各薄板に貼り合せて加熱した熱融着でもよい。
【００１６】
この荷造り用パッド１０は、壊れやすい荷物をトラックなどで運搬するとき、荷物を覆いその上にロープを架けて縛り付けて、使用される。
【００１７】
図１に示す本考案の実施例１（表１参照）の荷造り用パッド１０を、上記手順により試作し、運送作業現場に持ち込み実使用を試し見た。その結果、作業中の自立性が良く、上にロープを架けて締め上げても破損することがなかった。締め上げを解いた後のロープ痕はすぐに復元して目立たないものとなった。ロープの締め上げに際しても、プラスチック発泡体の緩衝的な変形が不織布の摩擦とも相俟って適度に締めあがり、極めて使いやすいものであった。水に漬けても吸い込みが少なく使用に殆ど障害とならなかった。さらに、この荷造り用パッドを、段ボール詰めの荷を重ねた間に挟み込んで斜めに傾けたところ、直接重ね合わせた段ボール詰めの荷よりもはるかに荷崩れしにくかった。また人間が踏んだりフォークリフトが軽く当たったりした程度では不織布の保護機能のため、使用不能なほどに破損することはなかった。
【００１８】
実施例１以外に、以下の表１の実施例２〜５に示す構成で荷造り用パッドを試作した。
【００１９】
【表１】
0003097589.tif 000003
【００２０】
表中のＰＥはポリエチレン、ＰＰはポリプロピレン繊維、ＰＥＴはポリエステル繊維、ＰＵはポリウレタンの略である。接着剤は、総てスチレン−ブタジエンゴム系接着剤を使用した。
【００２１】
実施例２〜５の荷造り用パッドの試作品についても運送作業現場に持ち込み実使用をした結果、作業効率、荷締りの良さ、荷崩れのし難さ、破損に対する丈夫さなど、実施例１の試作品と同様にいずれも優れたものであった。特に実施例５の試作品では発泡ポリエチレンを１２層と多くしているため、他の試作品に比して全体厚さが同じでもはるかに強度が勝り、剛柔性が優れていた。しかも板状の発泡ポリエチレンは薄いものが量産されて安価であるため、数多く積層しても全体としてのコストが安く済むものである。
【００２２】
【考案の効果】
以上、詳細に説明したように、本考案の荷造り用パッドは、ガード材料としてクッション性が適度であり、摩擦が十分得られるから、荷造り作業効率、荷締りの良さ、荷崩れのし難さ等、あらゆる点で優れている。しかも破損に対して丈夫で、締め上げを解いた後のロープ痕も少ないので繰り返して再使用できる。また市場に安価に出回っている材料によって簡単に量産できる上に、このものを廃棄物として資源の再利用をする際にも、再利用率が高いものとなる。
【図面の簡単な説明】
【図１】本考案を適用する荷造り用パッドの実施例を示す斜視図である。
【符号の説明】
２はプラスチック発泡体、３・４は不織布、５は平坦面、１０は荷造り用パッドである。
【図１】
0003097589.tif 000004